(57)【要約】【課題】放熱性を改善することにより、内部での温度上昇を抑制して性能の改善を図った蓄電装置及びその作製方法を提供することを課題とする。【解決手段】  蓄電装置の作製方法は、第１電極及び第２電極の間に、第１活性層、絶縁層、及び第２活性層がこの順に配設され、電解質溶液に含浸される単位セルの積層体である積層セルの前記第１電極の端部を第１プレートに接続する第１工程と、前記積層セルの積層方向における側方を囲繞する囲繞部を前記積層セルの側方に配設した状態で、前記積層セルの前記第２電極の端部を第２プレートに接続する第２工程と、前記第１プレート及び前記第２プレートを前記囲繞部の前記積層セルの積層方向における両端部に接続する第３工程とを含む。【選択図】図５
2010016308.tif 000002
【特許請求の範囲】
【請求項１】
正極電極及び負極電極の間に、第１活性層、絶縁層、及び第２活性層がこの順に配設され、電解質溶液に含浸される単位セルの積層体である積層セルと、
前記積層セルの積層方向にある一方の面及び他方の面を覆い、当該積層セルを狭持するとともに、前記各単位セルが並列接続されるように、当該各単位セルの正極電極及び負極電極がそれぞれ接続される第１プレート及び第２プレートと、
前記第１プレート及び前記第２プレートの間を密封する側壁と
を含む、蓄電装置。
【請求項２】
前記第１プレート及び前記第２プレートを締め付ける締付部材をさらに備える、請求項
１に記載の蓄電装置。
【請求項３】
前記側壁は、前記積層セルの積層方向に伸縮可能な構造である、請求項１又は２に記載の蓄電装置。
【請求項４】
前記側壁の一つの側面に、電解溶液を注入するための注入部を備える、請求項１乃至３のいずれか一項に記載の蓄電装置。
【請求項５】
第１電極及び第２電極の間に、第１活性層、絶縁層、及び第２活性層がこの順に配設され、電解質溶液に含浸される単位セルの積層体である積層セルの前記第１電極の端部を第１プレートに接続する第１工程と、
前記積層セルの積層方向における側方を囲繞する囲繞部を前記積層セルの側方に配設した状態で、前記積層セルの前記第２電極の端部を第２プレートに接続する第２工程と、
前記第１プレート及び前記第２プレートを前記囲繞部の前記積層セルの積層方向における両端部に接続する第３工程と
を含む、蓄電装置の作製方法。
【請求項６】
前記第１工程は、シール部材を介して前記第１プレート及び前記第２プレートと前記囲繞部の両端部とを接続する工程である、請求項５に記載の蓄電装置の作製方法。
【請求項７】
前記第１工程が終了し、前記第２工程を行う前に、前記第１プレート及び前記積層セルを天地方向に反転させる、請求項５又は６に記載の蓄電装置の作製方法。
【請求項８】
前記囲繞部の側壁には電解溶液を注入するための注入部が設けられており、前記第１工程、前記第２工程、及び前記第３工程が終了した後に、前記注入部を介して電解質溶液を前記積層セルに注入する注入工程をさらに備える、請求項５乃至７のいずれか一項に記載の蓄電装置の作製方法。
【発明の詳細な説明】
【技術分野】
【０００１】
本発明は、放熱性を改善した蓄電装置及びその作製方法に関する。
【背景技術】
【０００２】
従来より、大容量を実現できる電気二重層キャパシタのような蓄電装置は、例えば電気自動車をはじめとする車両等に利用されている。
【０００３】
一般的な電気二重層キャパシタのような蓄電装置は、活物質からなる電極がセパレータと重ねられて捲回又は積層され、電解質溶液とともに樹脂や絶縁紙等で固縛されている。この固縛された状態の捲回電極又は積層電極は、アルミ筐体中に封止され、その外部には複数対の正負電極を結束した電荷取り出し用の端子のみが露出している。この電荷取り出し用の端子は、導線を介して外部負荷と接続するための端子であり、導線を接続するための必要最小限の大きさである（例えば、特許文献１参照）。
【特許文献１】特開平１０−１２５５５９号公報
【発明の開示】
【発明が解決しようとする課題】
【０００４】
このような蓄電装置において、瞬時に大電流による放電又は充電を行うハイレート充放電を行うと、内部電極及びその周辺で多大な熱が生じる。しかしながら、内部電極には放熱機構は設けられておらず、また、内部電極を密封する樹脂や絶縁紙等は熱伝導性が低く、内部電極で発生した熱が筐体内部にこもるため、電極の温度が上昇し、電解質溶液や電極の劣化が進み、これにより静電容量の低下や内部抵抗の上昇等の性能劣化が生じる可能性がある。
【０００５】
この対策として、一般的には、強力な冷却装置によるキャパシタ本体の冷却、又は、入出力電力の制限による最大能力以下でのキャパシタの利用等が行われている。このような蓄電装置において、省エネルギの観点から冷却の必要性を低減し、かつ性能を十分に引き出すためには、キャパシタ内部の活物質からの発熱による温度上昇を抑制する必要がある。
【０００６】
そこで、本発明は、放熱性を改善することにより、内部での温度上昇を抑制して性能の改善を図った蓄電装置及びその作製方法を提供することを目的とする。
【課題を解決するための手段】
【０００７】
本発明の一局面の蓄電装置は、正極電極及び負極電極の間に、第１活性層、絶縁層、及び第２活性層がこの順に配設され、電解質溶液に含浸される単位セルの積層体である積層セルと、前記積層セルの積層方向にある一方の面及び他方の面を覆い、当該積層セルを狭持するとともに、前記各単位セルが並列接続されるように、当該各単位セルの正極電極及び負極電極がそれぞれ接続される第１プレート及び第２プレートと、前記第１プレート及び前記第２プレートの間を密封する側壁とを含む。
【０００８】
また、前記第１プレート及び前記第２プレートを締め付ける締付部材をさらに備えてもよい。
【０００９】
また、前記側壁は、前記積層セルの積層方向に伸縮可能な構造であってもよい。
【００１０】
また、前記側壁の一つの側面に、電解溶液を注入するための注入部を備えてもよい。
【００１１】
本発明の一局面の蓄電装置の作製方法は、第１電極及び第２電極の間に、第１活性層、絶縁層、及び第２活性層がこの順に配設され、電解質溶液に含浸される単位セルの積層体である積層セルの前記第１電極の端部を第１プレートに接続する第１工程と、前記積層セルの積層方向における側方を囲繞する囲繞部を前記積層セルの側方に配設した状態で、前記積層セルの前記第２電極の端部を第２プレートに接続する第２工程と、前記第１プレート及び前記第２プレートを前記囲繞部の前記積層セルの積層方向における両端部に接続する第３工程とを含む。
【００１２】
また、前記第１工程は、シール部材を介して前記第１プレート及び前記第２プレートと前記囲繞部の両端部とを接続する工程であってもよい。
【００１３】
また、前記第１工程が終了し、前記第２工程を行う前に、前記第１プレート及び前記積層セルを天地方向に反転させてもよい。
【００１４】
また、前記囲繞部の側壁には電解溶液を注入するための注入部が設けられており、前記第１工程、前記第２工程、及び前記第３工程が終了した後に、前記注入部を介して電解質溶液を前記積層セルに注入する注入工程をさらに備えてもよい。
【発明の効果】
【００１５】
本発明によれば、放熱性を改善することにより、内部での温度上昇を抑制して性能の改善を図った蓄電装置及びその作製方法を提供できるという特有の効果が得られる。
【発明を実施するための最良の形態】
【００１６】
以下、本発明の蓄電装置及びその作製方法を適用した実施の形態について説明する。ここでは、蓄電装置の一例として電気二重層キャパシタを用いて説明を行う。
【００１７】
図１は、実施の形態の電気二重層キャパシタを示す図であり、（ａ）は正面方向から見た断面図、（ｂ）は要部の構成を模式的に示す斜視図である。
【００１８】
図１（ａ）及び（ｂ）に示すように、本実施の形態の電気二重層キャパシタ１は、一対の平板状端子１０Ａ及び１０Ｂを有する。この平板状端子１０Ａ及び１０Ｂは、例えば、長さ（紙面中の左右方向の長さ）２００ｍｍ、幅（紙面を貫く方向の長さ）２００ｍｍ、厚さ１ｍｍ程度のアルミニウム製の平板状の端子であり、片方の面（図中、平板状端子１０Ａの下側の面と、平板状端子１０Ｂの上側の面）に活性層１１が形成される。なお、平板状端子１０Ａの上側の面と、平板状端子１０Ｂの下側の面とは、電気二重層キャパシタ１の外装面をなす。
【００１９】
平板状端子１０Ａ及び１０Ｂは、平板状端子１０Ａが電気二重層キャパシタ１の正極端子、平板状端子１０Ｂが負極端子となり、図示しない充電用の外部電源と電気二重層キャパシタ１からの電力供給を受ける負荷が接続される。この外部電源と負荷は別々であってもよいが、例えば、電力を発電する回生運転と電力を消費する力行運転の双方が可能な電動発電機を平板状端子１０Ａ及び１０Ｂに接続する場合は、外部電源と負荷は一体となる。本実施の形態の電気二重層キャパシタ１は、このような電動発電機に接続することも可能である。
【００２０】
平板状端子１０Ａ及び１０Ｂの間には、両面に活性層１１を有する複数の集電電極１２が絶縁層１４を介して積層される。この集電電極１２は、アルミニウム製の極薄いシート状の電極であり、例えば、長さ１５０ｍｍ、幅１５０ｍｍ、厚さ３０μｍ程度である。また、集電電極１２の両面に形成又は貼着される活性層１１は、例えば、厚さ１００μｍ程度の活性炭で構成される。
【００２１】
各集電電極１２は、タブ１３を介して、積層方向において交互に平板状端子１０Ａ及び１０Ｂに接続される。図１（ａ）には、タブ１３が、それぞれ、集電電極１２の一方の側と他方の側（図中、左右）で平板状端子１０Ａ及び１０Ｂに接続される形態を示す。各集電電極１２に接続されるタブ１３は、それぞれ、平板状端子１０Ａ及び１０Ｂに溶接される（図１（ｂ）参照）。平板状端子１０Ａ及び１０Ｂの間に配設される活性層１１、集電電極１２、絶縁層１４は、電解質溶液に含浸される。
【００２２】
このような構成により、集電電極１２のうち平板状端子１０Ａに接続される集電電極１２Ａは正極電極となり、平板状端子１０Ｂに接続される集電電極１２Ｂは負極電極となる。すなわち、各集電電極１２Ａ及び１２Ｂの間には、集電電極１２Ａの活性層１１、絶縁層１４、及び、集電電極１２Ｂの活性層１１がこの順に配列され、電気二重層容量を有するセル（以下、単位セル）が形成される。また、各単位セルは、並列接続されるとともに積層されて積層体を構成しており、この積層体が積層セル１５となる。
【００２３】
なお、平板状端子１０Ａと最上層の集電電極１２Ｂとの間にも単位セルが形成され、同様に、平板状端子１０Ｂと最下層の集電電極１２Ａとの間にも単位セルが形成されるが、これらは必ずしも必要ではない。例えば、平板状端子１０Ａ及び１０Ｂには活性層１１が形成されなくてもよく、これに加えて、最上層の集電電極１２Ｂには下側の面にだけ活性層１１が形成されてもよく、また、最下層の集電電極１２Ａには上側の面だけに活性層１１が形成されてもよい。
【００２４】
図２は、本実施の形態の二重層キャパシタの集電電極とタブを示す図であり、（ａ）は斜視展開図、（ｂ）は（ａ）に示す集電電極１２Ａ、１２Ｂ、及び絶縁層１４を集電電極１２Ａ側から見た平面図である。
【００２５】
タブ１３は、集電電極１２Ａ及び１２Ｂを平板状端子１０Ａ及び１０Ｂにそれぞれ接続するとともに、積層セル１５内の熱を熱伝導により外部に放出するための部材である。このため、熱伝導性の高い材料で構成されることが望ましく、例えば、集電電極１２Ａ及び１２Ｂと同一のアルミニウム製の極薄いシート状の部材であればよい。
【００２６】
また、このタブ１３は、図２（ａ）及び（ｂ）に示すように、集電電極１２Ａ及び１２Ｂと同一の幅を有していてもよいし、ここには図示しないが、集電電極１２Ａ及び１２Ｂよりも広い幅を有していてもよいし、また、熱伝導性を損なわない範囲で狭い幅を有するようにしてもよい。さらに、このタブ１３は、集電電極１２Ａ及び１２Ｂと同一部材で一体成形されていてもよいし、集電電極１２Ａ及び１２Ｂに接続される別体の部材であって溶接または半田で接続されていてもよい。このように集電電極１２Ａ及び１２Ｂとタブ１３とを一体にするか、別体にして接続するか、さらにはタブ１３の幅をどの程度に設定するかは、熱伝導率と電気抵抗を考慮した上で適宜決定すればよい。なお、集電電極１２Ａ及び１２Ｂとタブ１３とを一体にする場合は、これらを別体にする場合に比べて、製造工程の削減を図ることができる。
【００２７】
図３は、本実施の形態の電気二重層キャパシタの絶縁層の構造を概念的に示す図である。
【００２８】
絶縁層１４は、例えば、天然セルロース等の単繊維や複合繊維であって、イオン透過性のある絶縁体で構成されていればよく、電気二重層キャパシタ１のセパレータとして機能するものである。
【００２９】
この絶縁層１４は、集電電極１２と略同一の幅（紙面を貫く方向の長さ）を有し、一層の繊維シートを図３に示すように折り畳み、折り畳んだ繊維シートの間に集電電極１２が挟まれるようにして配設される。なお、図３には、説明の便宜上、完全に折り畳む前の状態を示しており、各集電電極１２は、平面視において各集電電極１２の活性層１１が略完全に重なるように配設される。
【００３０】
図４は、本実施の形態の電気二重層キャパシタを示す図であり、（ａ）は展開側面図、（ｂ）は展開斜視図、（ｃ）は側面図である。なお、図４（ａ）及び（ｃ）では、説明の便宜上、積層セル１５の構造を簡略化して示す。積層セル１５に含まれる活性層１１、集電電極１２Ａ及び１２Ｂの構成については、図１乃至図３を参照されたい。また、図４（ｂ）では、説明の便宜上、積層セル１５を省略する。
【００３１】
図４（ａ）に示すように、電気二重層キャパシタ１は、平板状端子１０Ａ、シール部材１７Ａ、積層セル１５、矩形環状の側壁１６、シール部材１７Ｂ、及び平板状端子１０Ｂを含む。
【００３２】
図４（ｂ）に示すように、側壁１６は矩形環状のアルミニウム製の部材であり、積層セル１５を収容可能な開口１６ａを有するとともに、図中における上端及び下端にシール部材１７Ａ及び１７Ｂを接着するための接着部１６Ａ及び１６Ｂを有する。
【００３３】
また、矩形環状の側壁１６の四つの側面のうちの一つの面に、電解溶液を注入するための注入部である開口１６Ｃが配設されている。この開口１６Ｃは２つ設けられており、一方は、真空ポンプに接続され、内部の空気を外部空間へ誘導するための開口であり、他方は、外部から内部空間に電解溶液を注入するための開口である。このため、２つの開口は、通流可能な方向が反対に設定されている。電解溶液の注入は、電気二重層キャパシタとして組み終わった後に行われる工程であり、注入の際には、開口１６Ｃを上側に位置させると、電解溶液が奥まで行き渡り、効率的に注入工程を実行することができる。なお、真空引きと電解液の注入を１つの開口で行える場合は、開口は１つであってもよい。
【００３４】
なお、シール部材１７Ａ及び１７Ｂは、平板状端子１０Ａ及び１０Ｂと側壁１６とを接着するためのシール部材であり、絶縁性のあるシリコン系、ポリイミド系又はポリプロピレン系の接着剤によって構成される。また、シール部材１７Ａ及び１７Ｂは、ＰＴＦＥ、ＰＥＥＫ等のシール部材と上述の接着剤とのラミネート（積層）材であってもよい。絶縁性が必要とされるのは、平板状端子１０Ａと１０Ｂの絶縁を確保するためである。
【００３５】
この積層セル１５は、矩形環状の側壁１６の開口１６ａに収容された状態で平板状端子１０Ａ及び１０Ｂにタブ１３が溶接され、この状態で側壁１６がシール部材１７Ａ及び１７Ｂによって平板状端子１０Ａ及び１０Ｂと接着されることにより、積層方向の側方（四方）が側壁１６によって囲繞され、図４（ｃ）に示すような電気二重層キャパシタ１となる。
【００３６】
すなわち、電気二重層キャパシタ１では、側壁１６がシール部材１７Ａ及び１７Ｂによって平板状端子１０Ａ及び１０Ｂに接着され、積層セル１５が内部に収容された状態で密封されている。
【００３７】
また、このように積層セル１５の積層方向にある一対の面（すなわち、最上層の集電電極１２の上面と最下層の集電電極１２の下面）において平板状端子１０Ａ及び１０Ｂによって狭持された状態で、さらに平板状端子１０Ａ及び１０Ｂが圧着されることによって密封性が高められ、電解質溶液が漏れないように構成されている。この平板状端子１０Ａ及び１０Ｂの圧着方法については図５を用いて後述する。
【００３８】
このような電気二重層キャパシタ１において、平板状端子１０Ａ及び１０Ｂを介して外部電源より充電を行うと、外部電源から供給される電荷（電子と正孔）は、集電電極１２Ａ及び１２Ｂに到達する。各単位セル内の活性層１１の細孔は、電解質溶液に含浸されているため、正極電極となる集電電極１２Ａには電解質溶液中のアニオン（陰イオン）が移動し、負極電極となる集電電極１２Ｂにはカチオン（陽イオン）が移動する。これにより、充電が完了する。なお、放電は、平板状端子１０Ａ及び１０Ｂに接続される負荷に対して、充電とは逆の過程によって得られる電力を供給することによって実現される。
【００３９】
図５は、本実施の形態の電気二重層キャパシタの作製方法を示す図である。この図５では、図面の見やすさを優先し、図４では示したシール部材１７Ａ及び１７Ｂを省略する。
【００４０】
先ず、図５（ａ）に示すように、平板状端子１０Ｂの中央部に積層セル１５を搭載し、図中左側のタブ１３を平板状端子１０Ｂに溶接する。
【００４１】
次に、図５（ｂ）に示すように、平板状端子１０Ｂの上にシール部材１７Ｂ、側壁１６、及びシール部材１７Ａを重ねる。このとき、側壁１６は、シール部材１７Ｂによって平板状端子１０Ｂの上に接着され、積層セル１５は、側壁１６の開口１６ａ内に収容される。
【００４２】
さらに、図５（ｃ）に示すように、平板状端子１０Ｂ、側壁１６、及び積層セル１５を天地方向に反転させ、平板状端子１０Ａを位置合わせした状態で、積層セル１５の図中右側のタブ１３と平板状端子１０Ａを溶接する。天地方向に反転させるため、図中右側のタブ１３を平板状端子１０Ａに溶接する工程を容易に行えるようになる。
【００４３】
次いで、図５（ｄ）に示すように、平板状端子１０Ａと側壁１６をシール部材１７Ａで接着する。これにより、積層セル１５は、平板状端子１０Ａ、側壁１６、及び平板状端子１０Ｂによって密封される内部空間に収容される。
【００４４】
さらに、図５（ｅ）に示すように、バンドル１８を用いて平板状端子１０Ａ及び１０Ｂを圧着させる。これにより、平板状端子１０Ａ、側壁１６、及び平板状端子１０Ｂの密封性が向上する。
【００４５】
以上、本実施の形態の電気二重層キャパシタ及びその作製方法によれば、タブ１３と平板状端子１０Ａ及び１０Ｂが接続されているので、内部で生じる熱がタブ１３を通じて平板状端子１０Ａ及び１０Ｂに伝導して放熱される電気二重層キャパシタ１を作製することができる。従来の電気二重層キャパシタでは、内部の熱を逃がすための機構は備えられておらず、また、内部電極は外部端子に接続されているものの、接続経路における熱的抵抗は大きく、さらに、外部端子の大きさは小さく、放熱性は考慮されていなかった。このため、本実施の形態の電気二重層キャパシタ１によれば、冷却の必要性を低減しつつ、内部温度の上昇を抑制して電気二重層キャパシタ１の性能の改善を図ることができる。
【００４６】
また、平板状端子１０Ａ及び１０Ｂが外装をなし、また、積層セル１５と平板状端子１０Ａ及び１０Ｂとの間に、従来の電気二重層キャパシタのように樹脂層、絶縁紙、あるいは筐体が存在せず、活性層１１及び絶縁層１４が存在するだけである。これらは、従来の電気二重層キャパシタに含まれていた樹脂、絶縁紙、あるいは筐体に比べれば遙かに薄いため、放熱性はさらに改善されるとともに、コンパクト化を図った電気二重層キャパシタ１を作製することができる。
【００４７】
また、以上では、側壁１６と平板状端子１０Ｂが別体である形態について説明したが、側壁１６を平板状端子１０Ｂとを一体化してもよい。
【００４８】
図６は、本実施の形態の変形例のモジュール型キャパシタに含まれる電気二重層キャパシタ１の構成を示す図である。この変形例のモジュール型キャパシタに含まれる電気二重層キャパシタ１は、平板状端子１０Ｂと側壁１６が一体化されている点が図４（ｂ）に示す電気二重層キャパシタ１と異なる。その他の構成は同一である。
【００４９】
このように、側壁１６を平板状端子１０Ｂと一体化させることにより、シール部材１７Ｂを省略することができる。
【００５０】
なお、この変形例のような構成でも、シール部材１７Ａによって平板状端子１０Ａと側壁１６との絶縁が確保されるため、これにより、平板状端子１０Ａと１０Ｂの絶縁も確保される。
【００５１】
また、以上では、放熱性を確保するために、外装部材となる平板状端子１０Ａ及び１０Ｂと側壁１６がアルミニウム製又はステンレス製である形態について説明したが、本実施の形態の電気二重層キャパシタ１が使用される環境等において周辺機器との電気的絶縁を確保する必要がある場合には、外部機器等との電気的な接続が必要な部分以外には、極薄い絶縁性樹脂を表面にコーティングしたり、熱収縮性のある樹脂で表面を覆ってもよい。
【００５２】
また、以上では、側壁１６がアルミニウム製又はステンレス製である形態について説明したが、側壁１６の材質はこれらに限られるものではなく、外部からの水分の浸入を防止するために、ガス透過性の低い材料で構成されていればよい。アルミニウム製又はステンレス製以外には、例えば、アルミナ等の絶縁性材料を用いてもよい。
【００５３】
また、以上では、側壁１６の側面が平面である形態について説明したが、側面には、一周にわたって、ベローズのように積層セル１５の積層方向に伸縮可能な構造が組み込まれていてもよく、または、側壁１６は蛇腹部を備えるアルミニウム製またはステンレス製の部材で構成されていてもよい。このようなベローズを含む側壁１６は、ベロー成型法、ハイドロフォーミング法、またはプレス成形法によって作製することができる。
【００５４】
また、以上では、側壁１６が矩形環状である形態について説明したが、側壁１６の形状は矩形環状に限られるものではなく、平面視において円形、楕円形、多角形等、様々な形状であってもよい。
【００５５】
また、以上では、側壁１６がシール部材１７Ａ及び１７Ｂによって平板状端子１０Ａ及び１０Ｂとの間における密封性を保持する形態について説明したが、シール部材１７Ａ及び１７Ｂの代わりに、樹脂製のＯリングを用いてもよい。
【００５６】
また、以上では、平板状端子１０Ｂ、側壁１６、及び積層セル１５を天地方向に反転させる作製方法について説明したが、必ずしも反転させる必要はない。
【００５７】
また、以上では、蓄電装置の一例として電気二重層キャパシタを用いて説明を行ったが、本実施の形態の蓄電装置は電気二重層キャパシタに限られず、リチウムイオンキャパシタまたはリチウムイオン二次電池等の蓄電装置であってもよい。
【００５８】
以上、本発明の例示的な実施の形態の蓄電装置及びその作製方法について説明したが、本発明は、具体的に開示された実施の形態に限定されるものではなく、特許請求の範囲から逸脱することなく、種々の変形や変更が可能である。
【図面の簡単な説明】
【００５９】
【図１】実施の形態の電気二重層キャパシタを示す図であり、（ａ）は正面方向から見た断面図、（ｂ）は要部の構成を模式的に示す斜視図である。
【図２】本実施の形態の二重層キャパシタの集電電極とタブを示す図であり、（ａ）は斜視展開図、（ｂ）は（ａ）に示す集電電極１２Ａ、１２Ｂ、及び絶縁層１４を集電電極１２Ａ側から見た平面図である。
【図３】本実施の形態の電気二重層キャパシタの絶縁層の構造を概念的に示す図である。
【図４】本実施の形態の電気二重層キャパシタの囲繞部の構造を示す図である。
【図５】本実施の形態の電気二重層キャパシタの作製方法を示す図である。
【図６】本実施の形態の変形例のモジュール型キャパシタに含まれる電気二重層キャパシタ１の構成を示す図である。
【符号の説明】
【００６０】
１  電気二重層キャパシタ
１０Ａ、１０Ｂ  平板状端子
１１  活性層
１２、１２Ａ、１２Ｂ  集電電極
１３  タブ
１４  絶縁層
１５  積層セル
１６  側壁
１６ａ  開口
１６Ａ、１６Ｂ  接着部
１６Ｃ  開口
１７Ａ、１７Ｂ  シール部材
１８  バンドル
【図１】
2010016308.tif 000003
【図２】
2010016308.tif 000004
【図３】
2010016308.tif 000005
【図４】
2010016308.tif 000006
【図５】
2010016308.tif 000007
【図６】
2010016308.tif 000008